(57)【特許請求の範囲】
【請求項１】
コンタクトレンズ収容容器からコンタクトレンズを取り出し、眼球に装着するためのコンタクトレンズ装着装置において、前記コンタクトレンズ装着装置の頂部にコンタクトレンズ収容容器から該コンタクトレンズを取り出して受け皿に載置するガイド付き受け皿を有する押出しロッドと、前記押出しロッドを収容し、外筒頂部に瞼ガードを有する外筒を備えて構成され、前記外筒頂部に設置された瞼ガードを眼球周囲の瞼に押し当て、前記外筒内部に収容された押出しロッドを眼球方向に押し出し、前記押出しロッドの頂部に載置されたコンタクトレンズを眼球に装着することを可能にすることを特徴とするコンタクトレンズ装着装置。
【請求項２】
請求項１のコンタクトレンズ装着装置において、前記押出しロッドと前記外筒との間にバネが挿入結合され、前記押出しロッドを押し出したのち、前記バネが結合された前記押出しロッドを押し出し初期位置に戻すことを特徴とするコンタクトレンズ装着装置。
【請求項３】
請求項１もしくは２項記載のコンタクトレンズ装着装置において、前記ガイド付き受け皿は、コンタクトレンズの凸面に適合するくぼみを有する受け皿と、前記受け皿から延長された舌状のガイド部とを備えて構成され、前記ガイド部には前記受け皿のくぼみに連続するＵ字溝を有することを特徴とするコンタクトレンズ装着装置。
【請求項４】
請求項１乃至３のうち１項記載のコンタクトレンズ装着装置において、前記コンタクトレンズの凸面に適合するくぼみを有する前記受け皿の中心部にマークが付されることを特徴とするコンタクトレンズ装着装置。
【請求項５】
請求項１乃至４のうち１項記載のコンタクトレンズ装着装置において、前記押出しロッドが、押し出し最上部に到達する以前に制動がかかることを特徴とするコンタクトレンズ装着装置。
【請求項６】
請求項１乃至５のうち１項記載のコンタクトレンズ装着装置において、前記瞼ガードが着脱可能かつ交換可能であることを特徴とするコンタクトレンズ装着装置。
【発明の詳細な説明】
【技術分野】
【０００１】
本発明は、コンタクトレンズに手を触れることなく、収容容器から取出し、取出したコンタクトレンズを装着装置に載置し、眼球の適正位置に装着する装置の技術に関するものである。
【背景技術】
【０００２】
従来、コンタクトレンズを装着する場合、コンタクトレンズを収容容器から手で取り出し、コンタクトレンズの凹面を上にして指先に乗せてゆっくり目に近づけ、黒目（角膜）に乗せるようにして装着していた。
【０００３】
しかしながら、コンタクトレンズを収容容器から取出したり、指先に載せ替えたりするために指先の雑菌に汚染されて、ひどい場合は感染症を引き起こす恐れがある。
【０００４】
また、指先の爪によりコンタクトレンズを傷付けたり、装着時に眼球に損傷を与える危険があった。さらに、指先に凸面が当たるため大変不安定で、正しく黒目位置に装着するのが難しかった。
【０００５】
そこで、例えば特許文献１の如く、コンタクトレンズの装着が不得意な人であっても、装着方法が容易で目に負担をかけないコンタクトレンズ装着器具が考案されている。
【先行技術文献】
【特許文献】
【０００６】
【特許文献１】特開２０１２−１３０６３８号公報
【発明の概要】
【発明が解決しようとする課題】
【０００７】
しかし、特許文献１においては、手を使わずにコンタクトレンズを眼球に装着できる点は良いが、収容容器から取り出すのに手を使うため、手についた雑菌や汚れがレンズに付着してしまう恐れがある。コンタクトレンズ収容容器からレンズを取出し眼球に装着するまで、手で触ることがないような衛生的な装着装置の実現が課題である。
【０００８】
さらに、棒状の手持ち軸にコンタクトレンズを粘着させて眼球に押し付けて装着するため、手持ち軸を眼球に強く押し付けすぎたり、手がぶれたりすることにより眼球に損傷を与える恐れがある。このような事故を起こさないような安全対策と、正しい眼球位置にレンズを装着できるようにすることが課題である。
【課題を解決するための手段】
【０００９】
上記のような各課題を解決するために、本発明に係るコンタクトレンズ装着装置においては、（請求項１）の如く、コンタクトレンズ収容容器から直接手で触れることなくコンタクトレンズを取り出し、該コンタクトレンズに直接手を触れることなく眼球に装着するためのコンタクトレンズ装着装置において、コンタクトレンズ収容容器から該コンタクトレンズを取り出して頂部の凹面レンズ受皿に載置するガイド付き受け皿を有する押出しロッドと、該押出しロッドを収容する外筒を備えて構成され、該外筒頂部に設置された瞼（まぶた）ガードを眼球上下の瞼に押し当て、外筒内部に収容された押出しロッドを眼球方向に押し出し、該押出しロッド頂部の凹面レンズ受け皿に載置されたコンタクトレンズを眼球に装着することを特徴とする。
【００１０】
また、（請求項２）の如く、押出しロッドと該押出しロッドを収容する外筒間にバネを挿入し、押出しロッドを押し出したのち、上記バネによって押出しロッドを押し出し初期位置に戻すことを特徴とする。
【００１１】
同じく、（請求項３）の如く、上記ガイド部はコンタクトレンズを収容容器から取り出し、上記受け皿に導くよう、受け皿につながる樋状のＵ溝を有することを特徴とする。
【００１２】
同じく、（請求項４）では、上記凹面レンズ受け皿中心部にマークを付することを特徴とする。
【００１３】
同じく、（請求項５）では押出しロッドを強く押し出して眼球に損傷を与えないよう、眼球近くになると制動がかかり、ゆっくり眼球に装着できることを特徴とする。
【発明の効果】
【００１４】
以上、説明したように、本発明に係るコンタクトレンズ装着装置の於いては、コンタクトレンズを収容容器から取り出して装着装置のレンズ受け皿に載置するまで全く手を触れることなく、さらに、受け皿に載置されたコンタクトレンズを眼球に装着する場合にもレンズに手を触れることがないため大変衛生的であるという効果がある。
【００１５】
さらに、まぶたガードの長さに相当する距離以上に、押上げロッド頂部のレンズ受け皿に載置されたコンタクトレンズは押し上がらないため、眼球に無理な力がかかることが無く、眼球に損傷を与える危険を防止することができる。
【００１６】
また、最大押上げ位置に近くなると押上げに制動がかかり、眼球に急激な衝撃を与えないため、上記に加えて更に危険を防止することができる。
【００１７】
押出しロッド頂部のコンタクトレンズ受け皿の中央部にはマークが付いているため、このマークが中心に見えるよう瞼当て部を瞼に充てて押出しロッドを押し出せば簡単に正しい位置にコンタクトレンズを装着することができる。
【図面の簡単な説明】
【００１８】
【図１】本発明の一実施形態に係るコンタクトレンズ装着装置の一実施例の構成部品概略図である。
【図２】本発明の一実施形態に係るコンタクトレンズ装着装置の一実施例の断面概略図である。
【図３】本発明の一実施形態に係るコンタクトレンズ装着装置のガイド付き受け皿部の構造概略図である。
【図４】本発明の一実施形態に係るコンタクトレンズ装着装置の一実施例の載置操作説明図である。
【図５】本発明の一実施形態に係るコンタクトレンズ装着装置の一実施例の装着説明図である。
【図６】本発明の一実施形態に係るコンタクトレンズ装着装置の他の実施例の構造概略図である。
【図７】本発明の一実施形態に係るコンタクトレンズ装着装置の別の実施例の構造概略図である。
【図８】本発明の一実施形態に係るコンタクトレンズ装着装置の一実施例のブレーキ部分の構造概略図である。
【図９】本発明の一実施形態に係るコンタクトレンズ装着装置の一実施例の瞼ガードの他の例である。
【発明を実施するための形態】
【００１９】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００２０】
図１は、本発明の一実施形態に係るコンタクトレンズ装着装置１の一実施例の構成部品の概念的斜視図である。コンタクトレンズ装着装置１の本実施例では、後述するガイド付き受け皿２−１を頂部に備えた押出しロッド２と、該頂部に瞼ガード３−１を装備し、押出しロッド２の外径と嵌合する内径を有する外筒３と押し出された押出しロッド２を元の位置に戻すためのバネ４から構成されている。外筒３の側面には、押出しロッド２の側面に設置された押出しつまみ２−２に適合した切り欠き部３−２がある。
【００２１】
図２は、上記図１の構成部品を組立てた場合の図１のＡ−Ａ´に相当する全体断面概略図である。外筒３の内部に差し込まれた押出しロッド２は、バネ４で外筒３の下方に押しつけられている。この状態では押出しロッド２の上端に設置されている受け皿２−１は外筒３の上縁とほぼ同じ高さにある。押出しロッド２が最大に押し出された場合は、押出しロッド２頂部のガイド付き受け皿２−１の上縁は瞼ガード３−１の上縁とほぼ同じ高さとなるよう設計してある。
【００２２】
図２の状態で、後述するように、外筒３の切り欠き部３−２から突出した押出しつまみ２−２を押し上げて、押出しロッド２の頂部の受け皿２−１に載置されたコンタクトレンズを眼球に装着することができる。なお、危険防止のため押し出しロッド２はその頂部受け皿２−１に載置されたコンタクトレンズが眼球に届く以上には押し出されないよう停止される。
【００２３】
図３は、押出しロッド２の頂部に設置するガイド付き受け皿２−１の詳細図である。ガイド付き受け皿２−１は、ガイド部２−１ａと、中心部に中心マーク２−１ｃを付されたコンタクトレンズ凸面に合致するくぼみを有する受け皿２−１ｂから構成されている。ガイド部２−１ａは、図３の如く、コンタクトレンズの凸面に適合したくぼみを有する受け皿２−１ｂから舌状に突出しており、若干下方にそりを有し、樋状のＵ字溝がコンタクトレンズの凸面に適合した凹面のくぼみを有する受け皿２−１ｂに連続的に続いている。ガイド部２−１ａから受け皿２−１ｂへと続く、くぼみの各断面の様子を図３（ｂ）から（ｅ）に示す。
【００２４】
図４は、押出しロッド２頂部の受け皿２−１にコンタクトレンズを載置する手順を示すものである。なお、説明簡略の為、瞼ガード３−１や押出しロッド２を押し出すための押出しつまみ２−２の図示を省略している。
【００２５】
図４（ａ）、（ｂ）では舌状のガイド部２−１ａの先端を、開封したコンタクトレンズ収容容器８中のコンタクトレンズ９の縁に差し込んでいく状態を示しており、図４（ｃ）の如くコンタクトレンズ９をすくい上げてガイド部２−１ａ上にコンタクトレンズ９を載せる。この状態でコンタクトレンズ装着装置１をガイド部２−１ａの先端と反対側に傾けると、コンタクトレンズ９と共にすくい上げられた少量のレンズ保存液（図示せず）が潤滑剤となってコンタクトレンズ９は受け皿２−１ｂに滑り込みほぼ静止し、装着準備完了となる。
【００２６】
図５は、本発明の一実施形態に係るコンタクトレンズ装着装置１によるコンタクトレンズ装着要領を説明する図である。図５（ａ）の如く、押出しロッド２頂部のガイド付き受け皿２−１の受け皿２−１ｂにコンタクトレンズ９が正しく載置された状態で、使用者はコンタクトレンズ９中心に見える中心マーク２−１ｃをまっすぐ見ながら図５（ｂ）の如く瞼ガード３−１を使用者の瞼に押し当てる。
【００２７】
この状態で、押し出しつまみ２−２を押し上げれば、コンタクトレンズ９に全く手を触れずに眼球の正しい位置にコンタクトレンズ９を装着できるわけである。上記説明では、瞼ガード３−１が２分割され、瞼の上下に押し当てていたが、ガイド部２−１ａの部分を除いて外筒３の上部を全て瞼ガード３−１としても良い。
【００２８】
なお、上記の説明では、押出しロッド２と外筒３の間にバネ４を挿入することにより押出しロッド２を押し出したのち、手を離せば押出しロッド２を元の位置に戻すよう考慮された例を示したが、バネ４を省略して手で元の位置に戻しても良いことは自明である。
【００２９】
また、上記の説明では、押出しロッド２を側面の押出しつまみ２−２によって押し出していたが、図６に示すように、外筒３の下部のネジ６−２付きのつまみ６−１を回すことによってネジ連結された押出しロッド６−３を押し出す方法もある。さらに、つまみ６−１の回転を電動によって行う等、電動による押上げ方法も各種考えられる。
【００３０】
更に、図７（ガイド付き受け皿、瞼ガードは省略）の如く、外筒７−１の側面に取り付けたくの字型のテコ７−２によって、押し出しロッド７−３を押し出すこともできる。以上のように、押し出しロッドを押し出す方法や構造はいろいろ考えられるが、それ等は全て本発明の技術思想に含まれるものである。
【００３１】
図１、２で説明した通り、バネ４を用いているため押出しロッド２が最上部に押しあがる時点でかなりの制動がかかるが、さらに制動を確実にするため、図８は、図１に示した本発明の実施例を例にとり、押出しロッド２上に載置されたコンタクトレンズ９が眼球近くになると徐々に制動がかかる構造の説明図である。
【００３２】
押出しロッド２上のコンタクトレンズ９がちょうど眼球に届く迄の押出し距離をＬ１とすると、押出しロッド２の外径Ｒ２は、押出し初期においては外筒３の内径Ｒ１より若干小であり、スムースに押し上げができるが、押上げ距離がＬ１に近くなると押出しロッド２の外径Ｒ２はほぼＲ１となり外筒３の内径Ｒ１に擦れ、摩擦により押出しロッド２の押し上げに制動がかかる。この制動効果により、コンタクトレンズ９が眼球に衝撃的に衝突することがない。
【００３３】
上記では、コンタクトレンズ装着時に制動をかける手段としてバネ、摩擦について説明したが、ゴムのような弾性体を用いたり、油の粘性を用いた制動（ダンパー）手段等の公知の技術手段を用いることも可能である。
【００３４】
図９は、瞼ガード３−１の他の例を示す図であり、瞼ガード３−１の上端にゴムや樹脂製のパッド１０を付したり、瞼への接触部分の面積を大にする等、瞼への接触を和らげてもよい。もちろんパッドの形状を変えたり、瞼ガード３−１を着脱式として交換することも可能である。
【００３５】
以上で説明してきた本発明のいくつかの実施例は、本発明の主旨を具体的にした例であり、本発明に係るコンタクトレンズ装着装置は、上記の実施形態例にとらわれることなく、その発明趣旨を逸脱しない範囲において、適宜変更することができる。
【産業上の利用可能性】
【００３６】
本発明は、コンタクトレンズをその収容容器から取出し、眼球に装着するまでを全く手を触れることなく行うことができるため、大変衛生的で装着が簡単なことからコンタクトレンズの付属品としてばかりでなく、眼科医療器具の用途においても幅広く応用することができる。
【００３７】
また、本発明ではコンタクトレンズ収容容器について一般市販品を使用する例について説明したが、本発明のコンタクトレンズ装着装置に適合した新しい収容容器を開発すれば、収容容器の開封作業まで本発明の応用形で行う事が出来、更に衛生面での向上が期待できる。
【符号の説明】
【００３８】
１…コンタクトレンズ装着装置、２…押出しロッド、２−１…ガイド付き受け皿、２−１ａ…ガイド部、２−１ｂ…受け皿、２−１ｃ…中心マーク、２−２…押出しつまみ、３…外筒、３−１…瞼ガード、３−２…切り欠き部、４…バネ、６…他のコンタクトレンズ装着装置例、６−１…つまみ、６−２…ネジ、６−３…押出しロッド、７…コンタクトレンズ収容容器、８…コンタクトレンズ収容容器、９…コンタクトレンズ
【図１】
0006334328.tif 000002
【図２】
0006334328.tif 000003
【図３】
0006334328.tif 000004
【図４】
0006334328.tif 000005
【図５】
0006334328.tif 000006
【図６】
0006334328.tif 000007
【図７】
0006334328.tif 000008
【図８】
0006334328.tif 000009
【図９】
0006334328.tif 000010